(57)【要約】【課題】ＩＤタグにおける電波強度の状態を容易に確認する。【解決手段】ＩＤタグ１には、発光ダイオード４が設けられている。この発光ダイオード４は、リーダ／ライタから出力された電波の電磁誘導による電力を整流して電源電圧を生成する整流回路５から出力される電圧レベルに応じて発光する。これにより、発光ダイオード４の発光の有無、および発光の強弱によって電波の供給状態、および電波強度の定量的な把握を目視によって行うことができる。【選択図】図１
2007148755.tif 000002
【特許請求の範囲】
【請求項１】
リーダ／ライタからの受けた電波を電力に変換し、情報を前記リーダ／ライタに返信するＩＤタグであって、
前記リーダ／ライタから受けた電波が電力に変換された際に、その電力に応じて発光する電力検出発光部を備えたことを特徴とするＩＤタグ。
【請求項２】
請求項１記載のＩＤタグにおいて、
前記電力検出発光部は、発光ダイオードであること特徴とするＩＤタグ。
【請求項３】
請求項２記載のＩＤタグにおいて、
前記発光ダイオードは、表面実装部品よりなることを特徴とするＩＤタグ。
【請求項４】
請求項２または３記載のＩＤタグにおいて、
前記発光ダイオードは、
前記ＩＤタグの制御を司る半導体チップとボンディングワイヤによって接続されていることを特徴とするＩＤタグ。
【発明の詳細な説明】
【技術分野】
【０００１】
本発明は、半導体集積回路装置の通信技術に関し、特に、ＲＦＩＤ（Ｒａｄｉｏ  Ｆｒｅｑｕｅｎｃｙ  ＩＤｅｎｔｉｆｉｃａｔｉｏｎ：電波方式認識）タグにおける電波強度の把握に有効な技術に関する。
【背景技術】
【０００２】
無線通信によりデータ交信することができる自動認識技術として、ＲＦＩＤが広まりつつある。このＲＦＩＤは、情報を記憶可能なＩＤタグと、該ＩＤタグにおける情報の読み出しや書き込みを行うリーダ／ライタとによって構成されている。ＩＤタグは、たとえば、非接触ＩＣチップなどの半導体集積回路装置、およびアンテナからなる。
【０００３】
この種のＩＤタグには、レギュレータが設けられている。このレギュレータは、電波強度が強い領域でデータ交信する際に高くなりすぎたアンテナ端子に発生する電圧を任意の電圧レベルまで低下させる。それにより、半導体集積回路装置の半導体素子の破壊などを防止している。
【発明の開示】
【発明が解決しようとする課題】
【０００４】
ところが、上記のようなＩＤタグでは、次のような問題点があることが本発明者により見い出された。
【０００５】
ＩＤタグの無線通信において、データ交信の際に電波強度が弱い領域では、アンテナ端子に発生する電圧が低くなり過ぎてしまい、半導体集積回路装置が動作しなくなってしまうことになる。この場合、ＩＤタグが動作しなくなるポイントで、ある程度の電波強度の把握は可能である。
【０００６】
しかし、電波強度が強い領域、すなわち強電界下において、ＩＤタグに加わる電界強度、電波状態、および電力供給状態などを定量的に把握する手段が設けられておらず、それにより、無線通信の不具合発生時における解析などが困難となってしまうという問題がある。
【０００７】
本発明の目的は、ＩＤタグにおける電波強度の状態を容易に確認することのできる技術を提供することにある。
【０００８】
本発明の前記ならびにそのほかの目的と新規な特徴については、本明細書の記述および添付図面から明らかになるであろう。
【課題を解決するための手段】
【０００９】
本願において開示される発明のうち、代表的なものの概要を簡単に説明すれば、次のとおりである。
【００１０】
本発明は、リーダ／ライタからの受けた電波を電力に変換し、情報を該リーダ／ライタに返信するＩＤタグであって、該リーダ／ライタから受けた電波が電力に変換された際に、その電力に応じて発光する電力検出発光部を備えたものである。
【００１１】
また、本願のその他の発明の概要を簡単に示す。
【００１２】
本発明は、前記電力検出発光部が発光ダイオードよりなるものである。
【００１３】
また、本発明は、前記発光ダイオードが表面実装部品よりなるものである。
【００１４】
さらに、本発明は、前記発光ダイオードが、ＩＤタグの制御を司る半導体チップとボンディングワイヤによって接続されているものである。
【発明の効果】
【００１５】
本願において開示される発明のうち、代表的なものによって得られる効果を簡単に説明すれば以下のとおりである。
【００１６】
（１）電力検出発光部における発光の有無、および発光の強弱により、電波の供給状態、および電波強度を目視によって定量的に把握することができる。
【００１７】
（２）上記（１）により、ＩＤタグにおける電波の供給状態、ならびに電波強度の把握が容易になり、該ＩＤタグの信頼性を向上させることができる。
【００１８】
（３）また、電力検出発光部として発光ダイオードを用いることにより、整流電圧を一定にする電圧リミッタ効果を得ることができ、ＩＤタグにレギュレータなどの保護回路を不要にすることができる。
【発明を実施するための最良の形態】
【００１９】
以下、本発明の実施の形態を図面に基づいて詳細に説明する。なお、実施の形態を説明するための全図において、同一の部材には原則として同一の符号を付し、その繰り返しの説明は省略する。
【００２０】
図１は、本発明の一実施の形態によるＩＤタグのブロック図、図２は、図１のＩＤタグ概要を示す平面図である。
【００２１】
本実施の形態において、ＩＤタグ１は、たとえば、自動認識技術の１つであるＲＦＩＤに用いられる。ＩＤタグ１は、図１に示すように、アンテナ２、ＲＦＩＤチップ３、および発光ダイオード（ＬＥＤ：Ｌｉｇｈｔ  Ｅｍｉｔｔｉｎｇ  Ｄｉｏｄｅ）４から構成されている。
【００２２】
アンテナ２は、リーダ／ライタとの交信においてアナログ信号の送受信を行う。ＲＦＩＤチップ３は、整流回路５、クロック回路６、変調回路７、論理回路８、ならびに平滑用コンデンサ９から構成されている。
【００２３】
整流回路５には、アンテナ用パッド３ａ、グランド（基準電位）パッド３ｂを介してアンテナ２が接続されている。この整流回路５は、アンテナ２を介してＩＤタグにおける情報の読み出しや書き込みを行うリーダ／ライタから出力された電波の電磁誘導による電力を整流して電源電圧ＶＣＣとして出力する。
【００２４】
クロック回路６は、クロック信号を生成し、論理回路８に供給する。変調回路７は、アンテナ２が受信したアナログ信号をデジタル信号に復調して論理回路８に出力するとともに、該論理回路８から出力されたデジタル信号をアナログ信号に変調してアンテナ２を介してリーダ／ライタに送信する。
【００２５】
論理回路８は、たとえば、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの不揮発性半導体メモリからなるメモリを含み、情報の読み出し／書き込みにおける動作制御を司り、情報の読み出し／書き込みを行う。平滑用コンデンサ９は、整流回路５が生成した電源電圧ＶＣＣの電圧を平滑化する。
【００２６】
発光ダイオード（電力検出発光部）４は、ＲＦＩＤチップ３の電圧モニタパッド３ｃとグランドパッド３ｂとの間に接続されており、整流回路５から出力される電源電圧ＶＣＣの電圧レベルに応じて発光する。
【００２７】
そして、これらアンテナ２、ＲＦＩＤチップ３、ならびに発光ダイオード４は、たとえば、紙やプラスティックなどによってラミネートされて、カード状に形成されている。
【００２８】
図２は、ＩＤタグ１における構成例を示した平面図である。
【００２９】
アンテナ２は、銅やアルミニウムなどの金属からなり、図示するように、長方形のフィルム状に形成されている。アンテナ２の任意の位置には、アンテナ利得を最適化するためのスリットが形成されている。アンテナ２は、リーダ／ライタとの交信においてアナログ信号の送受信を行う。
【００３０】
ＲＦＩＤチップ３は、アンテナ２に実装されており、ＲＦＩＤチップ３の裏面に形成されたグランドパッド３ｂがアンテナ２の主面に接続されている。また、ＲＦＩＤチップ３の主面にはアンテナ用パッド３ａが形成されており、該アンテナ用パッド３ａとアンテナ２に形成されたスリットの先端部とがボンディングワイヤ１０を介して接続されている。
【００３１】
発光ダイオード４は、該発光ダイオード４の主面に形成されたアノードがボンディングワイヤ１１を介して電圧モニタパッド３ｃに接続されている。また、発光ダイオード４の裏面に形成されたカソードは、アンテナ２の主面に直接接続されている。
【００３２】
無線通信によりリーダ／ライタとのデータ交信が開始されると、該リーダ／ライタからの電波を受けて、ＩＤタグ１の整流回路５は、アンテナ２で受信した電波強度に比例した電圧レベルの電源電圧ＶＣＣを生成する。
【００３３】
この電源電圧ＶＣＣは、電圧モニタパッド３ｃに印加されるので、予め整流回路５の変換効率が判明していれば発光ダイオード４の発光の有無、および発光ダイオード４の発光の強弱により、電波の供給状態、および電波強度の定量的な把握を目視によって行うことができる。
【００３４】
また、発光ダイオード４を設けて平滑用コンデンサ９の電荷を放電させることにより、整流電圧を一定にする電圧リミッタ効果を得ることができる。これにより、レギュレータなどの保護回路が不要となり、ＲＦＩＤチップ３を、より小型化することが可能になる。
【００３５】
それにより、本実施の形態によれば、ＩＤタグ１における電波強度の目視による確認を行うことができるので、電波の供給状態、ならびに電波強度の把握が容易になり、該ＩＤタグの信頼性を向上させることができる。
【００３６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００３７】
本発明は、ＲＦＩＤに用いられるＩＤタグにおける信頼性の向上化技術に適している。
【図面の簡単な説明】
【００３８】
【図１】本発明の一実施の形態によるＩＤタグのブロック図である。
【図２】図１のＩＤタグ概要を示す平面図である。
【符号の説明】
【００３９】
１  ＩＤタグ
２  アンテナ
３  ＲＦＩＤチップ
３ａ  アンテナ用パッド
３ｂ  グランド（基準電位）パッド
３ｃ  電圧モニタパッド
４  発光ダイオード（電力検出発光部）
５  整流回路
６  クロック回路
７  変調回路
８  論理回路
９  平滑用コンデンサ
１０，１１  ボンディングワイヤ
ＶＣＣ  電源電圧
【図１】
2007148755.tif 000003
【図２】
2007148755.tif 000004